【事件の表示】
　特願２００６−　９９３５３「表示制御方法および表示制御プログラム」拒絶査定不服審判事件〔平成１９年１０月１８日出願公開、特開２００７−２７２６９５〕について、次のとおり審決する。
【結　論】
　本件審判の請求は、成り立たない。
【理　由】
第１　手続きの経緯・本願発明
　本願は、平成１８年３月３０日の出願であり、平成２３年８月５日付けで拒絶査定がなされ、それに対して同年１１月９日に拒絶査定不服の審判請求がなされるとともに手続補正書が提出されたものであって、その請求項１に係る発明は、平成２３年１１月９日に提出された手続補正書により補正された明細書及び図面の記載からみて、その特許請求の範囲の請求項１に記載された次のとおりのものと認める。（以下、「本願発明」という。）
「コンピュータに、
　リンク先へのアクセスにより確認された該リンク先のステータスに応じた表示を行うか行わないかの設定に応じて、リンク情報を含む画面情報に基づく表示の際に前記リンク情報が示すリンク先について確認されたステータスに応じた表示処理を実行するかしないかの制御、
　を行わせることを特徴とする表示制御方法。」
　　　
第２　引用文献
　原査定の拒絶の理由に引用された特開２００１−１４２０７号公報（以下、「引用文献」という。）には、図面とともに次の記載がある。
（ア）「【請求項１】ＷＷＷサーバとウェブブラウザを搭載するクライアントとの間でＨＴＭＬで記述されるハイパーテキスト情報とその情報を特定するＵＲＬとがやり取りされるハイパーテキストブラウジングシステムにおいて、一度訪れたウェブブラウザ上に表示されたユーザ選択可能なリンク先のエラー状態を判別する手段を提供する方法。
【請求項２】前記エラー状態を判別する手段は、エラーであることを報知する手段を含むことを特徴とする請求項１に記載の方法。」（【特許請求の範囲】【請求項１】、【請求項２】）
　　　
（イ）「図１は、ＷＷＷサーバから受信するハイパーテキスト情報をクライアントのウェブブラウザで画面表示した例を示す図である。同図に示すように、まず、ウェブブラウザでウェブページＡのＵＲＬが指定されるとそのＵＲＬがネットワークに送出され、必要なハイパーテキスト情報が受信されて対応するウェブページＡがウェブブラウザによりディスプレイ表示される。このとき、同図に示すように、ウェブページＡは他のウェブページＢ，Ｃ，Ｄの三つのウェブページにリンクが張られているため、それに対応したディスプレイ上には三つのハイパーリンクＡ１，Ａ２，Ａ３が表示されている。例えば、ユーザがハイパーリンクＡ１をマウス等の座標入力装置で選択すると、ウェブブラウザは、そのハイパーリンクＡ１に対応するＵＲＬ（ウェブページＢのＵＲＬ）をウェブページＡの表示に用いた受信済みのハイパーテキスト情報から抽出し、該ＵＲＬをネットワークに送出する。こうして、ウェブブラウザは新たなハイパーテキスト情報を受信し、既に表示しているウェブページＡを消去して、ウェブページＢを表示する。その後、ウェブブラウザでウェブページＤのＵＲＬが指定されると、ウェブページＤがウェブブラウザによりディスプレイ表示されるが、この時、ウェブページＢは、ウェブページＡから一度訪れたため、ウェブページＤのハイパーリンクＤ１は、訪問済みとして対応する色を表示する。このように、ハイパーリンクの色により、訪問済みか否かを認識することができる。また、特開平１０−１１６２２０号公報に記載のように、透過的にハイパーリンクされたページのリモートサイトにテストメッセージを送り、応答を受け取ることによってダウンロード時間の推定値を確かめられ、応答時間によりハイパーリンクの近くにダウンロード時間を示す緑、黄、赤等の任意の適切な丸や四角形等の色付きのマークを含む標章を示す手法が開示されている。
【発明が解決しようとする課題】上記従来技術は、ウェブページから一度訪れたハイパーリンクを訪問済みとして対応する色を表示するが、同じＵＲＬを持つリンク先が移動したり、通信エラー、ユーザ中断等でアクセスできなかった場合でも、訪問済みとして対応する色を表示してしまい、アクセスできるものと思い込んでしまうため、操作性の問題があった。本発明の目的は、１度訪れたリンク先のエラー情報を記憶しておき、ウェブブラウザ上に報知するすることにより、同じＵＲＬを持つリンク先の状態を知ることを可能にすることにある。」（第３頁第３欄第４行〜第４７行）
　　　　　
（ウ）「【課題を解決するための手段】上記目的を達成するために、ウェブブラウザ上に表示されたユーザ選択可能なリンク先がエラーとなった場合、エラーとなったＵＲＬとエラー情報を記憶することにより、２回目以降は、記憶している情報に同一ＵＲＬがあった場合、表示する色をエラー情報に対応した色（通信エラー、リンク先移動、ユーザ中断等）に表示したものである。また、一定時間経過したものは、記憶している情報から破棄し初期状態にする。また、ユーザ操作により強制的に記憶している内容を破棄し初期状態にすることが可能である。それによって、リンク先エラーが回復した場合でも誤動作することはない。」（第３頁第３欄第４８行〜第４欄第９行）
　　　　
（エ）「ウェブブラウザ８には、エラー情報制御部９、エラー情報記憶部１０、エラー情報管理部１１、画面Ｉ／Ｆ部１２、管理ファイル１３が設けられている。以下に図３に基づき、ＷＷＷサーバＣ４のウェブページＣ７が移動されている場合を例にとってクライアント上にエラー情報を記憶する手段を用いリンク先の状態確認方法を説明する。ユーザは、ウェブブラウザ８を用い、例えば、ＷＷＷサーバＡ２のウェブページＡ５の情報を受信してその内容を画面に表示する。ウェブページＡ５は、ＷＷＷサーバＢ３のウェブページＢ６とＷＷＷサーバＣ４のウェブページＣ７にリンクが張られているが、ＷＷＷサーバＣ４のウェブページＣ７は、既に移動されているため、ウェブページＡ５のハイパーリンクリンク２をクリックしてもウェブページＣ７のアクセスはエラーＩＤ４０４エラー（ＮｏｔＦｏｕｎｄ）となる。エラーとなった場合、エラー情報制御部９が、エラー情報記憶部１０にエラー情報を記憶する。次にＷＷＷサーバＢ３のウェブページＢ６の情報を受信した場合、ウェブページＡ５、Ｃ７のＵＲＬをエラー情報制御部９が、エラー情報記憶部１０から検索する。エラー情報記憶部１０にある場合は、エラー情報管理部１１の管理ファイル１３より、表示する色をエラーＩＤと対応した色（赤）に画面Ｉ／Ｆ部１２へ表示するように要求する。エラー情報記憶部１０に記憶される内容について説明する。図４は、前記エラー情報記憶部１０に記憶される内容を説明する図である。同図に示すようにエラー情報記憶部１０では、エラーＩＤとＵＲＬとエラー発生時刻が対応づけられて各レコードが構成されており、ユーザからの要求でエラー情報記憶部１０の内容表示、及び強制的に破棄することが可能である。エラー情報管理部１１について説明する。図５は、前記エラー情報管理部１１の管理ファイル１３の内容を説明する図である。同図に示すように管理ファイル１３では、エラーＩＤとエラー状態、表示する色を対応づけられて各レコードが構成されており、ユーザ設定により、自由に色を選択可能である。また、全て色を変えない（初期状態）ことも可能である。図６は、クライアント上にエラー情報を記憶する手段を用いて、リンク先の状態確認方法の動作を説明するフロー図である。ウェブブラウザ８は、インターネット１を介して目的のページデータがあるＷＷＷサーバＡ２、ＷＷＷサーバＢ３またはＷＷＷサーバＣ４からページデータを取り込む。そして、同図に示すように表示されたウェブページ上にハイパーリンクがあるか確認する（Ｓ１０１）。ハイパーリンクがある場合、エラー情報制御部９がエラー情報記憶部１０に同一ＵＲＬがあるか検索する（Ｓ１０２）。そして、エラー情報記憶部１０内に同一ＵＲＬがある場合、同じレコードのエラー発生時刻から一定時間経過しているか判定する（Ｓ１０３）。エラー発生時刻が一定時間経過していた場合、エラー情報記憶部１０内のレコードを破棄し、ウェブブラウザ８のハイパーリンクを初期状態の色で表示する（Ｓ１０４）。エラー発生時刻が一定時間経過していない場合、エラー情報管理部１１の管理ファイル１３からエラーＩＤと対応した色でウェブブラウザ８のハイパーリンクを表示するように画面Ｉ／Ｆへ要求する（Ｓ１０５）。また、図７は、エラー情報制御部９のエラー情報記憶部１０への動作を説明するフロー図である。ウェブブラウザ８のウェブページ上のハイパーリンクをアクセスする。リンク先のアクセスがエラーになるか判定する（Ｓ２０１）。エラーとなった場合、エラー情報記憶部１０に空きがあるか判定する（Ｓ２０２）。空きがあった場合、エラー情報記憶部１０にエラーＩＤ、ＵＲＬ、エラー発生時刻を記憶する（Ｓ２０３）。空きがなかった場合、エラー発生時刻が一番古いエラー発生時刻のレコードを破棄し（Ｓ２０４）、エラー情報記憶部１０にエラーＩＤ、ＵＲＬ、エラー発生時刻を記憶する（Ｓ２０３）。ウェブブラウザ８のウェブページ上にハイパーリンクのアクセスが、エラーとならなかった場合、エラー情報記憶部１０に同一ＵＲＬがあるか判定する（Ｓ２０５）。同一ＵＲＬがあった場合、エラー情報記憶部１０の同一ＵＲＬのレコードを破棄する（Ｓ２０６）。本実施例によれば、ウェブブラウザ８には、ハイパーリンクが訪問済みと対応した色を表示せず、リンク先のエラー状態が把握でき、その結果、サーバとの通信を最小限に抑えて、無駄なアクセス（回線接続時間）を軽減できるという効果を奏する。」（第３頁第４欄第２４行〜第４頁第５欄第４９行）
　　　
（オ）図５には、「エラーＩＤ」である「４０１」、「４０３」、「４０４」、「５００」に、「エラー状態」が「認証不可」、「禁止」、「見つからない」、「サーバエラー」に、「表示する色」が「黄」、「緑」、「赤」、「初期」に、それぞれ対応づけられて各レコードが構成されている管理ファイル１３が記載されている。
　　　
　以上の記載によれば、この引用文献には以下のような発明（以下、「引用発明」という。）が開示されていると認められる。
「ウェブブラウザ上に表示されたユーザ選択可能なリンク先がエラーとなった場合、エラーとなったＵＲＬとエラー情報を記憶することにより、２回目以降は、記憶している情報に同一ＵＲＬがあった場合、表示する色をエラー情報に対応した色（通信エラー、リンク先移動、ユーザ中断等）に表示することにより、ＷＷＷサーバとウェブブラウザを搭載するクライアントとの間でＨＴＭＬで記述されるハイパーテキスト情報とその情報を特定するＵＲＬとがやり取りされるハイパーテキストブラウジングシステムにおいて、一度訪れたウェブブラウザ上に表示されたユーザ選択可能なリンク先のエラー状態を判別する手段を提供する方法であって、
　例えば、ウェブブラウザ８を用い、ＷＷＷサーバＡ２のウェブページＡ５の情報を受信してその内容を画面に表示し、ウェブページＡ５は、ＷＷＷサーバＢ３のウェブページＢ６とＷＷＷサーバＣ４のウェブページＣ７にリンクが張られているが、ＷＷＷサーバＣ４のウェブページＣ７は、既に移動されているため、ウェブページＡ５のハイパーリンク２をクリックしてもウェブページＣ７のアクセスはエラーＩＤ４０４エラー（ＮｏｔＦｏｕｎｄ）となり、エラーとなった場合、エラー情報制御部９が、エラー情報記憶部１０にエラー情報を記憶し、次にＷＷＷサーバＢ３のウェブページＢ６の情報を受信した場合、ウェブページＡ５、Ｃ７のＵＲＬをエラー情報制御部９が、エラー情報記憶部１０から検索し、エラー情報記憶部１０にある場合は、エラー情報管理部１１の管理ファイル１３より、表示する色をエラーＩＤと対応した色（赤）に画面Ｉ／Ｆ部１２へ表示するように要求するものであり、
　前記エラー情報記憶部１０では、エラーＩＤとＵＲＬとエラー発生時刻が対応づけられて各レコードが構成されており、ユーザからの要求でエラー情報記憶部１０の内容表示、及び強制的に破棄することが可能であり、
　前記管理ファイル１３では、エラーＩＤとエラー状態、表示する色を対応づけられて各レコードが構成されており、ユーザ設定により、自由に色を選択可能であり、また、全て色を変えない（初期状態）ことも可能であることを特徴とする一度訪れたウェブブラウザ上に表示されたユーザ選択可能なリンク先のエラー状態を判別する手段を提供する方法。」
　　
第３　対　比
　本願発明と引用発明とを対比する。
（ア）引用発明の「ＵＲＬ」は、本願発明の「リンク情報」に相当する。
　　
（イ）引用発明の「ウェブページＢ６の情報」は、「ウェブページＡ５、Ｃ７のＵＲＬ」を含むから、本願発明の「リンク情報を含む画面情報」に相当し、引用発明の「ウェブページＢ６」を表示することは、本願発明の「リンク情報を含む画面情報に基づく表示」に相当するといえる。
　
（ウ）引用発明の「一度訪れたウェブブラウザ上に表示されたユーザ選択可能なリンク先のエラー状態」は、本願発明の「リンク先へのアクセスにより確認された該リンク先のステータス」及び「前記リンク情報が示すリンク先について確認されたステータス」に相当するといえる。
　
（エ）引用発明の「ＷＷＷサーバＢ３のウェブページＢ６の情報を受信した場合、ウェブページＡ５、Ｃ７のＵＲＬをエラー情報制御部９が、エラー情報記憶部１０から検索し、エラー情報記憶部１０にある場合は、エラー情報管理部１１の管理ファイル１３より、表示する色をエラーＩＤと対応した色（赤）に画面Ｉ／Ｆ部１２へ表示するように要求する」構成は、本願発明の「リンク情報を含む画面情報に基づく表示の際に前記リンク情報が示すリンク先について確認されたステータスに応じた表示処理を実行するかしないかの制御」と「リンク情報を含む画面情報に基づく表示の際に前記リンク情報が示すリンク先について確認されたステータスに応じた表示処理を実行する制御」の点で共通し、引用発明は、ウェブブラウザを用いているから、「コンピュータに、」「制御、を行わせること」は明らかである。
　　
（オ）引用発明の「前記管理ファイル１３では、エラーＩＤとエラー状態、表示する色を対応づけられて各レコードが構成されており、ユーザ設定により、自由に色を選択可能であり、また、全て色を変えない（初期状態）ことも可能であること」は、一度訪れたウェブブラウザ上に表示されたユーザ選択可能なリンク先のエラー状態を判別する色について、設定により、自由に色を選択可能であり、また、全て色を変えない（初期状態）ことも可能であることであるから、本願発明の「リンク先へのアクセスにより確認された該リンク先のステータスに応じた表示を行うか行わないかの設定」と、「リンク先へのアクセスにより確認された該リンク先のステータスに応じた表示に関する設定」の点で共通する。　　　
　
（カ）引用発明の「一度訪れたウェブブラウザ上に表示されたユーザ選択可能なリンク先のエラー状態を判別する手段を提供する方法」は、本願発明の「表示制御方法」に相当するといえる。
　
　したがって、本願発明の用語を用いて表現すると両者は、
「コンピュータに、
　リンク先へのアクセスにより確認された該リンク先のステータスに応じた表示に関する設定に応じて、リンク情報を含む画面情報に基づく表示の際に前記リンク情報が示すリンク先について確認されたステータスに応じた表示処理を実行する制御、
を行わせることを特徴とする表示制御方法。」
で一致するものであり、次の点で相違している。
　　
　本願発明は、「リンク先へのアクセスにより確認された該リンク先のステータスに応じた表示を行うか行わないかの設定に応じて、リンク情報を含む画面情報に基づく表示の際に前記リンク情報が示すリンク先について確認されたステータスに応じた表示処理を実行するかしないかの制御」を行わせるのに対して、引用発明は、表示を行うか行わないかの設定に応じて、表示処理を実行するかしないかの制御を行わせるものではない点。
　　
第４　当審の判断
　上記相違点について検討する。
　情報処理装置において、所定の情報の表示を行うか行わないかの設定に応じて、当該情報の表示処理を実行するかしないかの制御を行わせることは、本願出願日前周知技術（例えば、特開平９−３３０１９１号公報段落【００２８】〜【００３２】「レーザプリンタ２は印刷処理を行ったり、レーザプリンタ２のステータス（状態）をステータス信号としてパソコン４側に出力している。・・・中略・・・例えば、レーザプリンタ２側のステータスを表示するためのステータスモニターが設定されていない場合、「ステータスモニター・オフ」なる表示がなされている。・・・中略・・・このオプション用設定ダイヤログ中の「ステータスモニター・オン／オフ」のボタンにマウスカーソルを合わせてクリックして表示を「ステータスモニター・オン」に変え、・・・中略・・・もし、逆にステータスモニター表示がオンであったものをオフに設定した場合あるいはオフのままとした場合には、フラグStatusMonに「０」が設定される」、段落【００４５】「ステータスモニターがが立ち上がっていれば、所定時間毎に、レーザプリンタ２側へステータスデータの送信要求を送ることにより、レーザプリンタ２からステータスデータを受信して、ディスプレイ３２上のステータスモニタ表示領域３２ａにレーザプリンタ２のステータスを表示する処理が行われる。」の記載、特開２００３−１２２４２８号公報段落【００１８】〜【００１９】「図５において、Ｓ５１にてエラーデータベースにあるエラー内容を表示し、かつ、それらの一つ一つについてエラー表示をするのかどうか、またエラーをログファイルに記録するのか設定する切り替えスイッチを表示する。管理者の設定により切り替えスイッチが設定されると、その内容をそれぞれのバッファに記憶しておく。次に実際のエラーが発生した場合、マイコンは発生したエラーの内容をそれぞれのバッファに送り、バッファに記憶させてある設定により表示／非表示を判断し、それに応じて表示あるいは非表示にする。・・・中略・・・なお、以上の説明では、複数のエラーに対してエラーデータベースを用いた構成の例で説明したが、その他のエラーデータベースがない、もしくは一つのエラーに対して構成された場合についても同様に実施可能である。」の記載、特開２００３−１４０８５２号公報段落【０１０９】〜【０１１０】「対象デバイスが存在しない場合、ステップＳ１００７に移行し、削除メッセージを表示するか否かを判定する。この判定は、ステップＳ１００３で設定された情報に従って行われる。ここで、メッセージを表示するように設定されていた場合は、ステップＳ１００８に移行する。メッセージを表示しないように設定されていた場合、ステップＳ１００９に移行する。ステップＳ１００８では、ユーザに対して削除を実行するかどうかの指定を促すメッセージが表示される。」の記載、特開平１１−２４９５５０号公報段落【００２１】〜【００２４】「このラジオボタン４０１により、地形図について、色を濃く表示するか薄く表示するか、または地形図を表示しないかを選択することができる。【００２２】４０２は線表示（図３の線データ３０２）について、「すべての種類を表示」するか、「種類を選択して表示」するか、「表示しない」かを設定するラジオボタンである。・・・中略・・・４０３は地名表示（図３の文字データ３０３）について、「すべての種類を表示」するか、「種類を選択して表示」するか、「表示しない」かを設定するラジオボタンである。・・・中略・・・例えば、地名表示のラジオボタン４０３で「表示しない」を選択すると、表示領域４０５の地図で地名が表示されなくなる。」の記載、特開２０００−２２２３０１号公報段落【００７６】「さらに、ユーザの好みにより、表示する内容を変更するようにしてもよい。例えば、発信者を表示するかしないかを設定できるようにしてもよい。」の記載参照。）である。
　引用発明は、全て色を変えない（初期状態）ことも可能であるから、一度訪れたウェブブラウザ上に表示されたユーザ選択可能なリンク先のエラー状態を判別する色を変えない（初期状態）ことが示唆されている。
　そうすると、引用発明において、上記周知技術を適用し、リンク先へのアクセスにより確認された該リンク先のステータスに応じた表示を行うか行わないかの設定に応じて、リンク情報を含む画面情報に基づく表示の際に前記リンク情報が示すリンク先について確認されたステータスに応じた表示処理を実行するかしないかの制御を行わせるようにすることは、当業者が容易になし得ることである。
　　　　　
　また、本願発明の作用効果も、引用発明及び周知技術から、当業者であれば予想できる範囲内のものである。　　　
　　　
第５　むすび
　以上のとおり、本願発明は、引用発明及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。